【手続補正書】
【提出日】平成15年7月18日(2003.7.18)
【手続補正１】
【補正対象書類名】明細書
【補正対象項目名】全文
【補正方法】変更
【補正の内容】
【発明の名称】ゲーム機としての機能を有する携帯用電話機器並びに該携帯用電話機器を用いたゲームソフトの販売・レンタルまたは会員制システム
【特許請求の範囲】
【請求項１】映像、画像、動画、文字、数字、記号、音声などのゲームソフトのデジタル情報を初期化、新規書き込み、再書き込み、追加書き込みができると共に、該書き込みされたゲームソフトのデジタル情報を再生できる記憶装置を携帯用電話機器に内蔵し、該記憶装置に書き込まれたゲームソフトのデジタル情報を再生、再書き込みすることによりゲーム機としての機能を有するようにしたことを特徴とする携帯用電話機器。
【請求項２】映像、画像、動画、文字、数字、記号、音声などのゲームソフトのデジタル情報を初期化、新規書き込み、再書き込み、追加書き込みができると共に、該書き込みされたゲームソフトのデジタル情報を再生できる記憶装置を携帯用電話機器に内蔵し、該記憶装置に書き込まれたゲームソフトのデジタル情報を再生、再書き込みすることによりゲーム機としての機能を有する携帯用電話機器において、ゲーム用の表示装置、スピーカー（イヤホーンを含む）及び操作装置は、携帯用電話機器が保有するディスプレイ用の表示装置、スピーカー（イヤホーンを含む）及び押しボタンより成る操作装置を利用することを特徴とするゲーム機としての機能を有する携帯用電話機器。
【請求項３】請求項１または２記載の記憶装置に、携帯用電話機器が保有するデジタル情報受け渡し用装置と、パーソナルコンピュータ、ゲームソフトのデジタル情報の受け渡しが可能な機器、またはゲームソフト情報の書き込み可能な記憶装置が内蔵された携帯用電話機器とを、前記デジタル情報の受け渡しが転送可能な接続ケーブルで接続し、または直接接続することによりゲームソフト情報の受け渡しができるようにしたことを特徴とするゲーム機としての機能を有する携帯用電話機器。
【請求項４】請求項１または２記載の記憶装置に記憶された映像、画像、動画、文字、数字、記号、音声などのゲームソフトのデジタル情報は、任意に初期化、再書き込み、新規書き込み、追加書き込みおよび再生可能であって、これにより一旦ゲームソフトの途中結果情報をセーブし、その後ゲームを続行することができるゲーム機としての機能を有するようにしたことを特徴とする携帯用電話機器。
【請求項５】請求項１または２記載の記憶装置に記憶された映像、画像、動画、文字、数字、記号、音声などのゲームソフトのデジタル情報は、任意に初期化、新規書き込み、再書き込み、追加書き込みおよび再生可能であって、これにより携帯用電話機器の持つリアルタイムなデジタル情報受け渡し通信機能を利用して、離れた人と通信による対戦ゲームを行うことができるゲーム機としての機能を有するようにしたことを特徴とする携帯用電話機器。
【請求項６】請求項１または２記載の記憶装置に、携帯用電話機器が保有する通信機能により、パーソナルコンピュータ、ゲームソフト情報バンク会社、またはゲームソフト販売会社などのゲームソフトのデジタル情報を保有するデジタル機器に前記携帯用電話機器でアクセスして、ゲームソフトのデジタル情報の受け渡しができるようにしたことを特徴とするゲーム機としての機能を有する携帯用電話機器。
【請求項７】請求項６に記載の携帯用電話機器において、携帯用電話機器側とゲームソフト提供側の双方に、携帯用電話機器が有する映像、画像、動画、文字、数字、記号、音声の単独または組合わせによるセキュリティー情報を持たせ、双方がセキュリティー情報を認識して合意が取れない場合、ゲームソフトの活用ができない機能を持たせたことを特徴とするゲーム機としての機能を有する携帯用電話機器。
【請求項８】映像、画像、動画、文字、数字、記号、音声などのゲームソフトのデジタル情報を初期化、新規書き込み、再書き込み、追加書き込みができると共に、該書き込みされたゲームソフトのデジタル情報を再生、再書き込みすることによりゲーム機とすることができる記憶装置を携帯用電話機器に内蔵し、該記憶装置に携帯用電話機器が保有する通信機能によりパーソナルコンピュータ、ゲームソフト情報バンク会社、またはゲームソフト販売会社などのゲームソフトのデジタル情報を保有するデジタル機器に前記携帯用電話機器でアクセスして、ゲームソフトのデジタル情報の受け渡しをするとき、携帯用電話機器側とゲームソフト提供側の双方に、携帯用電話機器が有する映像、画像、動画、文字、数字、記号、音声の単独または組合せによるセキュリティー情報を持たせ、双方がセキュリティー情報を認識して合意が取れない場合、ゲームソフトの活用ができないようにしたゲーム機としての機能を有する携帯用電話機器を用いたゲームソフトの販売・レンタルまたは会員制システム。
【発明の詳細な説明】
【０００１】
【発明の属する技術分野】
本発明は、携帯用電話機器に内蔵された記憶装置に、任意にゲームソフトのデジタル情報を初期化、新規書き込み、再書き込み、追加書き込みをすることができるようにすると共に、該書き込まれたゲームソフト情報を任意に再生、再書き込みすることにより、携帯用電話機器本来の機能の外に、ゲーム機としてゲームソフトを楽しむことができるゲーム機としての機能を有する携帯用電話機器並びに該携帯用電話機器を用いたゲームソフトの販売・レンタルまたは会員制システムに関するものである。
【０００２】
【従来の技術】
従来、ゲームソフトを楽しむ場合、専用のゲーム機器、あるいはゲームソフトが再生可能なパーソナルコンピュータ機器を購入していた。また、現在市販されている携帯用電話機器でも簡単なゲームソフト情報が書き込まれて販売されているが、数多くの種類の異なったゲームソフトのデジタル情報を任意に初期化、新規書き込み、再書き込み、追加書き込みおよび再生の機能はなく、当然のことながらゲームソフト情報の受け渡しを任意にすることができなかった。
【０００３】
【発明が解決しようとする課題】
前記従来の携帯用電話機器では、携帯用電話機器が持つデジタル情報受け渡し用装置を利用して、市販のパーソナルコンピュータあるいはデジタル情報の受け渡しが可能な機器と接続して、ゲームソフト情報を得ることができず、また携帯用電話機器の持つ通信機能を使って、外出先から自宅のパーソナルコンピュータ、またはゲームソフト情報バンク会社、ゲームソフト販売会社などのゲームソフト情報を保有するデジタル機器に携帯用電話機器でアクセスして、多くの種類のゲームソフト情報を選択し、新規書き込み、変更あるいは追加書き込みなどの受け渡しをすることができないという課題があった。
【０００４】
また、携帯用電話機器の持つ通信機能を利用したゲームソフトの販売事業、ゲームソフトのレンタル事業およびゲームソフトを供給する会員制事業への展開もできないという課題があった。
【０００５】
更に、従来の携帯用電話機器では、転送された映像、画像、動画、文字、数字、記号、音声などのゲームソフト情報を、任意に初期化、新規書き込み、再書き込み、追加書き込みおよび前記書き込まれたゲームソフト情報の再生ができないので、当然のことながらゲームソフトの途中結果情報のセーブができず、後でゲームの続きを楽しむということができないという課題があった。また更に、携帯用電話機器が持つリアルタイムなデジタル情報受け渡し通信機能を利用して、離れた人と通信による対戦ゲームを楽しむことができないという課題があった。
【０００６】
そして更に、従来の携帯用電話機器には、映像、画像、動画、文字、数字、記号、音声などのゲームソフトのデジタル情報を、任意に初期化、新規書き込み、再書き込み、追加書き込みすると共に、該書き込まれたゲームソフトのデジタル情報の再生ができる記憶装置が内蔵されていないので、受け渡されたゲームソフトのデジタル情報を任意に記憶させることができないという課題があった。
【０００７】
ところで、携帯用電話機器における現在の記憶装置の技術進歩のめざましい発達により、記憶装置が小型化されると共に、大容量化され、それに伴い記憶装置が安価となり、且つ携帯用電話機器のサイズを大巾に大きくすることなく記憶装置を内蔵できるようになり、その結果当然のことながら、前記記憶装置は記憶容量が大きくなり、ゲームソフトのデジタル情報を記憶するのに充分な容量を持っていると共に、該記憶装置は安価に量産できるため、コスト面でも商品化できるようになった。
【０００８】
本発明は、前記観点より前記課題を解決すべくなされたもので、映像、画像、動画、文字、数字、記号、音声などのゲームソフトのデジタル情報を初期化、新規書き込み、再書き込み、追加書き込みおよび前記書き込まれたゲームソフトのデジタル情報を再生できる記憶装置を内蔵した携帯用電話機器により、電話機としての機能の外に、ゲーム機としても使用することができる携帯用電話機器並びに該携帯用電話機器を用いたゲームソフトの販売・レンタルまたは会員制システムを提供しようとするものである。
【０００９】
【課題を解決するための手段】
本発明は、映像、画像、動画、文字、数字、記号、音声などのゲームソフトのデジタル情報を初期化、新規書き込み、再書き込み、追加書き込みができると共に、該書き込みされたゲームソフトのデジタル情報を再生できる記憶装置を携帯用電話機器に内蔵し、該記憶装置に書き込まれたゲームソフトのデジタル情報を再生して、再書き込みすることによりゲーム機としての機能を携帯用電話機器に備えるという手段、または、
映像、画像、動画、文字、数字、記号、音声などのゲームソフトのデジタル情報を初期化、新規書き込み、再書き込み、追加書き込みができると共に、該書き込みされたゲームソフトのデジタル情報を再生できる記憶装置を携帯用電話機器に内蔵し、該記憶装置に書き込まれたゲームソフトのデジタル情報を再生、再書き込みすることによりゲーム機としての機能を有する携帯用電話機器において、ゲーム用の表示装置、スピーカー（イヤホーンを含む）及び操作装置は、携帯用電話機器が保有するディスプレイ用の表示装置、スピーカー（イヤホーンを含む）及び押しボタンより成る操作装置を使用するという手段を採用することにより、携帯用電話機器としての機能の外に、ゲーム機としても使用することを可能として、従来の課題を解決した。
更には、映像、画像、動画、文字、数字、記号、音声などのゲームソフトのデジタル情報を初期化、新規書き込み、再書き込み、追加書き込みができると共に、該書き込みされたゲームソフトのデジタル情報を再生、再書き込みすることによりゲーム機とすることができる記憶装置を携帯用電話機器に内蔵し、該記憶装置に携帯用電話機器が保有する通信機能によりパーソナルコンピュータ、ゲームソフト情報バンク会社、またはゲームソフト販売会社などのゲームソフトのデジタル情報を保有するデジタル機器に前記携帯用電話機器でアクセスして、ゲームソフトのデジタル情報の受け渡しをするとき、携帯用電話機器側とゲームソフト提供側の双方に、携帯用電話機器が有する映像、画像、動画、文字、数字、記号、音声の単独または組合せによるセキュリティー情報を持たせ、双方がセキュリティー情報を認識して合意が取れない場合、ゲームソフトの活用ができないようにするという手段を採用することにより、ゲーム機としての機能を有する携帯用電話機器を用いたゲームソフトの販売・レンタルまたは会員制事業への展開を可能として、従来の課題を解決した。
【００１０】
【発明の実施の形態】
本発明の実施の形態を図面に基づき詳細に説明する。図１は、任意に初期化、新規書き込み、再書き込み、追加書き込みおよび再生ができる記憶装置を内蔵した携帯用電話機器の概略図を示す。１は携帯用電話機器本体、２は表示装置、３は各種操作装置、４はデジタル情報の受け渡し用装置、５はデジタル情報の受け渡しが転送可能な接続ケーブル、６はスピーカー（イヤホーンを含む）である。
【００１１】
前記表示装置２は、映像、画像、動画、文字、数字、記号、音声の各情報をディスプレイする表示装置であり、携帯用電話機器の使用時、およびゲームを楽しむときに使用する。前記各種操作装置３は、押しボタンより成り電話機能操作時およびゲーム操作時に使用する。前記デジタル情報受け渡し用装置４は、一般的な携帯用電話機器にあるコネクター口でパーソナルコンピュータ、ゲームソフトのデジタル情報の受け渡しが可能な機器または記憶装置が内蔵された携帯用電話機器とを、前記デジタル情報の受け渡しが可能な接続ケーブル５で接続し、あるいは該接続ケーブル５を用いることなく、直接接続してパソコン通信やゲームソフト情報の受け渡しをする。前記接続ケーブル５は、一般的な携帯用電話機器のオプションとして市販されているデジタル情報の受け渡しが可能なコネクター付き接続ケーブルであり、更に、前記スピーカー（イヤホーンを含む）６は、一般的な携帯用電話機器に備えられ、電話通信時の音声を聞くためと、ゲームの音声を楽しむときに使用する。
【００１２】
図２は、任意に初期化、新規書き込み、再書き込み、追加書き込み、再生ができる記憶装置を内蔵した携帯用電話機器を用いて、通信を利用したゲームソフト情報の受け渡しを行う概略図であり、符号１〜６は図１のものと同一である。
【００１３】
図２において、７は電話機能の外、映像、画像、動画、文字、数字、記号、音声などのゲームソフト情報の受け渡しを、携帯用電話機器１の持つ電話通信機能を用いて無線で行うことを模式的に示した無線通信マークである。また図２において、８はゲームソフトのレンタル会社、９はゲームソフトの販売会社であり、該各会社８・９より無線あるいは有線により、ゲームソフト情報を通信ネットワーク１４に受け渡す状態が図示されている。
【００１４】
また図２において、１０〜１２はゲームソフトのデジタル情報の受け渡しができる機器を図示したもので、１０は、市販のデスクトップ型パーソナルコンピュータであり、１１は、市販のモバイル型パーソナルコンピュータであり、１２は、ゲームソフト情報の受け渡しができる機器である。更に、図２には前記各機器１０〜１２から有線により、ゲームソフトのデジタル情報を通信ネットワーク１４に受け渡す状態が図示されている。
【００１５】
前記ゲームソフトのレンタル会社８、ゲームソフトの販売会社９、デスクトップ型パーソナルコンピュータ１０、モバイル型パーソナルコンピュータ１１またはゲームソフト情報の受け渡しができる機器１２から通信ネットワーク１４に受け渡されたゲームソフトのデジタル情報は、該通信ネットワーク１４を介して無線、または有線で携帯用電話機器１の記憶装置に受け渡されて該デジタル情報が書き込まれ、ゲームソフトのデジタル情報の販売あるいはレンタルが完了する。そして、これらゲームソフトのデジタル情報の販売あるいはレンタル事業を会員組織として会員制事業に展開することも可能である。
【００１６】
更に、図２において、ゲームソフトのレンタル会社８およびゲームソフトの販売会社９におけるゲームソフトのデジタル情報の受け渡し可能な機器と携帯用電話機器１とを、前記デジタル情報の受け渡しが転送可能な接続ケーブル５で接続したり、あるいは前記ゲームソフトのデジタル情報の受け渡しができる機器１０〜１２と携帯用電話機器１を、前記デジタル情報の受け渡しが転送可能な接続ケーブル５で接続したりして、前記ゲームソフトのデジタル情報が前記携帯用電話機器１の記憶装置に受け渡され、該デジタル情報が書き込まれる。
【００１７】
また更に、図２に示すように、他の携帯用電話機器１３に書き込まれたゲームソフトのデジタル情報を無線で前記通信ネットワーク１４に受け渡し、且つ該通信ネットワーク１４を介して無線で携帯用電話機器１にゲームソフトのデジタル情報を書き込むことも可能である。
【００１８】
そして更に、図２に示すように携帯用電話機器が保有するリアルタイムなデジタル情報受け渡し通信機能を利用して、他の携帯用電話機器１３を所持する離れた人と通信により対戦ゲームを楽しむことも可能である。
【００１９】
図３は、本発明携帯用電話機器によるゲームソフトのデジタル情報の受け渡しの代表的なフローチャートである。図３において、ユーザー側とゲームデータの配信事業者、すなわち、ゲームソフト販売会社、ゲームソフト情報バンク会社、ゲームソフトレンタル会社、あるいはゲームソフト会員制事業者とは、携帯電話網、すなわち通信ネットワーク１４で接続可能となっている。以下フローチャートに従って詳細に説明する。
【００２０】
先ず、ユーザーは携帯用電話機器のもつ通信機能により、ゲーム、データ配信事業者にアクセスする（ステップＳ１）。前記ゲームデータ配信事業者にアクセスした後、ユーザーは文字、数字、記号等より成るセキュリティー情報の操作をする（ステップＳ２）。
【００２１】
次に、ゲームデータ配信事業者は、通信ネットワーク１４を介して送信された前記ユーザーのセキュリティー情報操作（ステップＳ２）により、設定されたセキュリティー情報の認識をし（ステップＳ３）、ゲームデータ配信事業者において前記セキュリティー情報に不合意のときは、ユーザー側にゲームデータの配信はしない（ステップＳ４）。
【００２２】
一方、前記ユーザー側のセキュリティー情報に合意のときは、ユーザー側の希望するゲームソフト情報を選択し（ステップＳ５）、該選択されたゲームソフト情報を通信ネットワーク１４を介してユーザー側に配信する（ステップＳ６）。
【００２３】
そして、前記通信ネットワーク１４を介してユーザー側に配信されたゲームソフト情報は、携帯用電話機器に内蔵された記憶装置に記憶され（ステップ７）、然る後ユーザー側は携帯用電話機器に内蔵された記憶装置に記憶されたゲームソフト情報を再生、再書き込みしてゲームを楽しむ（ステップ８）。
【００２４】
【発明の効果】
本発明は上述のようであるから、携帯用電話機器にゲーム機器機能を持たせたため、ゲーム専用の機器を購入、持参しなくともゲームソフトを楽しむことができる。また、携帯用電話機器と携帯型のゲーム機として二つの機能を屋外において利用することができる。
【００２５】
本発明は、任意にゲームソフト情報を初期化、新規書き込み、再書き込み、追加書き込み、再生ができるため、多くの種類のゲームソフトを楽しむことができる。また、ゲームの途中結果をセーブして、後でゲームの続きを楽しむことができる。
【００２６】
本発明は、携帯用電話機器が持つ映像、画像、動画、文字、数字、記号、音声の各情報をディスプレイするための表示装置、スピーカー（イヤホーンを含む）および操作機能装置を利用してゲームソフトを楽しむことができる。
【００２７】
本発明は、携帯用電話機器が持つ通信機能を利用して、離れた人と通信による対戦ゲームを楽しむことができる。
【００２８】
本発明は、携帯用電話機器の持つ通信機能によりゲームソフト情報を受け渡すことができるため、外出先から自宅のパーソナルコンピュータ、ゲームソフト情報バンク会社またはゲームソフト販売会社などのゲームソフト情報を保有するデジタル機器に電話でアクセスして、多くの種類のゲームソフト情報を選択し、変更や追加をすることができる。また、携帯用電話機器の持つ通信機能を利用したゲームソフトの販売事業、ゲームソフトのレンタル事業およびゲームソフトを供給する会員制事業への展開が可能となる。
【００２９】
本発明は、携帯用電話機器が持つデジタル情報受け渡し用装置を利用して、パーソナルコンピュータと携帯用電話機器をつなぎゲームソフト情報を受け渡すことができる。また、市販されているメディアからパーソナルコンピュータを経由してゲームソフト情報の受け渡しもできる。
【００３０】
本発明は、携帯用電話機器の持つ暗証番号を登録する機能を利用して、ゲームソフト開発者および販売会社の知的所有権保護のためのセキュリティー機能を持たせることができる。また、携帯用電話機器は数字情報の外にも映像、画像、動画、文字、記号、音声の各情報の入力および出力する機能を持っているので、これらを組合わせた更に安全性の高いセキュリティー情報を活用することにより、ゲームソフト販売時の不正なコピー商品に対する防止や他人の不正使用を防止することができる。
【図面の簡単な説明】
【図１】本発明携帯用電話機器の概略斜視図である。
【図２】本発明携帯用電話機器でのゲームソフト情報の受け渡し方法の説明図である。
【図３】本発明携帯用電話機器によるゲームソフト情報の受け渡しの代表的なフローチャートである。
【符号の説明】
１  携帯用電話機器本体、  ２  表示装置、  ３  各種操作装置、  ４  デジタル情報受け渡し用装置、  ５  接続ケーブル、  ６  スピーカー（イヤホーンを含む）、  ７  無線通信マーク、  ８  ゲームソフトのレンタル会社、  ９  ゲームソフト販売会社、  １０  デスクトップ型パーソナルコンピュータ、  １１  モバイル型パーソナルコンピュータ、  １２  ゲームソフト情報の受け渡しができる機器、  １３  他の携帯用電話機器、  １４  通信ネットワーク。


【手続補正２】
【補正対象書類名】図面
【補正対象項目名】図３
【補正方法】追加
【補正の内容】
【図３】
2000115303.tif 000001